(57)【特許請求の範囲】
【請求項１】
記録媒体を入れたケースをそのまま収容することが出来る収容ケースにおいて、該ケースが嵌る本体ケースと開閉する蓋ケース、及び蓋ケースが開かないようにロックするロックプレートから成り、蓋ケースは開閉出来るように軸支されると共に、前後壁方向にスライド可能とし、本体ケースの側壁と蓋ケースの側壁に設けた係合溝と係合片が蓋ケースのスライド位置によって係合状態と成ることで蓋ケースは閉鎖され、そして、上記ロックプレートは本体ケースと蓋ケースに設けたガイドに嵌ってロックして蓋ケースのスライドを阻止するように構成し、蓋ケースを開くと収容されているケースの蓋も同時に開くことが出来るように、上記本体ケースの側壁又は前壁には収容されたケースの底板の縁が係止する突片を設け、又、蓋ケースの側壁にもケースの蓋の縁が係止する突片を設け、そして、蓋ケースの両側壁基部に設けた軸ピン１７ａ，１７ｂが本体ケースの側壁基部に軸支されて開閉可能にすると共に、本体ケースの一方の側壁６ａには上記蓋ケースの軸ピン１７ａが嵌る長軸穴１３を設け、他方の側壁６ｂには上記蓋ケースの軸ピン１７ｂが移動することで嵌る２個の軸穴１４ａ，１４ｂを形成し、そして、側壁１６ｂに設けた軸ピン１７ｂの先端面を、後壁側又は前壁側を傾斜した形状とし、そして上記ロックプレートは挿入部と頭部を有し、挿入部にはバネ力を付勢して揺動可能なアームを軸支し、アーム先端のツメを本体ケースの側壁６に形成した係合溝１１に係合可能とし、さらに、上記頭部にはロックプレートを挿入すると同時に本体側壁６ｂと蓋ケース側壁１６ｂの間に嵌入することが出来る嵌入板３７を設けたことを特徴とする記録媒体の収容ケース。
【請求項２】
上記本体ケースの側壁６に係合片１０を形成し、蓋ケースの側壁１６には上記係合片１０が嵌る係合溝１８を設けた請求項１記載の記録媒体の収容ケース。
【請求項３】
上記蓋ケースの側壁１６に係合片を形成し、本体ケースの側壁６には上記係合片が嵌る係合溝を設けた請求項１記載の記録媒体の収容ケース。
【請求項４】
本体ケースの底面の前壁側中央を切欠いた請求項１、請求項２、又は請求項３記載の記録媒体の収容ケース。
【発明の詳細な説明】
【技術分野】
【０００１】
本発明はメーカーケースに入っているＤＶＤ、ＣＤ等の記録媒体を該ケースごと嵌めて棚に陳列することが出来る記録媒体の収容ケースに関するもので、貸出し用ケースとして、又は販売用の陳列ケースとして利用することが出来る。
【背景技術】
【０００２】
図９は従来の一般的なＤＶＤやＣＤ等の円盤状記録媒体の販売用の収納ケースを示している。収納ケースは本体ケース（イ）と蓋ケース（ロ）を有し、本体ケース（イ）と蓋ケース（ロ）は継手部（ハ）を介して連結され、蓋ケース（ロ）は開閉することが出来る。そして、本体ケース（イ）のベース面中央には受け台座（ニ）が設けられ、該受け台座（ニ）には係合凸部（ホ）を形成している。
【０００３】
そして、ＤＶＤの中央部は、上記受け台座（ニ）に載置されると共に、係合凸部（ホ）は中央穴に嵌って取付けられる。上記係合凸部（ホ）はその外径を僅かに収縮可能な構造となっている為に、ＤＶＤの中央穴にはガタ付くことなく嵌合することが出来る。
【０００４】
ところで、レンタルショップにてＤＶＤを貸し出す場合、メーカーケースから該ＤＶＤを取出して、レンタル用の貸出しケースに収容している。この貸出しケースは、その基本構造はメーカーケースと同じであって、本体ケースのベース面中央には受け台座が設けられ、該受け台座には係合凸部を有している。そして、この係合凸部はＤＶＤの中央穴に嵌って取付けられる。
【０００５】
又、ＤＶＤのみならず、メーカーケースに備わっている表紙を取外してレンタル用カバーケースに取付けなくては成らない。すなわち、貸出しケースの上端部を突出して収容することが出来るレンタル用カバーケースの表面に取付けられ、レンタル用カバーケースは陳列棚に配列される。さらに、ＤＶＤの内容を記載している説明書も取外して貸出しケースに収める必要がある。勿論、ＤＶＤを収容した貸出しケースから該ＤＶＤが盗まれないように、貸出しケースはロックされている。
【０００６】
このように、レンタルショップではメーカーのケースからＤＶＤを取外して貸出しケースに移し変える一連の作業が必要と成り、枚数が多くなると大変な時間がかかる。一方、ＤＶＤや表紙、及び説明書を取出して空となったメーカーケースを破棄することが出来ず、後日中古品として販売する為には保管することが必要となる。
【発明の開示】
【発明が解決しようとする課題】
【０００７】
このように、ＤＶＤ、ＣＤ等を収容して貸し出す為の貸出しケースには上記のごとき問題がある。本発明が解決しようとする課題はこの問題点であり、メーカーケースからＤＶＤ、ＣＤ等の記録媒体、説明書、及び表紙を取外すことなく、そのままの状態で収容して貸し出すことが出来、又は販売することが出来るようにした記録媒体を収容するケースを提供する。
【課題を解決するための手段】
【０００８】
本発明に係る収容ケースは、本体ケースと蓋ケースで構成され、ＤＶＤ、ＣＤ等の円板状記録媒体を収容したメーカーケースはそのままの状態で本体ケースに収容される。この場合、メーカーケースは本体ケースに嵌合状態で収容されて容易に外れない状態とする。そして、蓋ケースは本体ケースに開閉可能に取付けられるが、開閉軸は長軸穴に沿ってスライド可能に軸支され、蓋ケースは閉じた状態で開かないように適当なスライド位置にて閉鎖させる。
【０００９】
すなわち、蓋ケースはスライドしてその位置がズレることで、本体ケースに係合する係合片を設けている。そして、ロックプレートが挿入されるガイドを設け、嵌合した状態で抜けないように係止するツメを備えている。該ロックプレートがロックされて抜けないようになることで、蓋ケースのスライドが阻止され、該蓋ケースは開くことが出来ない構造としている。
【００１０】
そして、本発明の貸出しケースに収容されたメーカーケースは、蓋ケースを開くと同時にメーカーケースの蓋も開くことが出来るようにしている。そこで、メーカーケースの本体及び蓋の周囲には低い縁を沿設しているが、この縁に係止する突片を蓋ケース及び本体ケースに形成し、該本体ケース及び蓋ケースの突片はメーカーケースの本体及び蓋の縁に係止した状態と成っている。
ところで、本発明が対象とする記録媒体はＤＶＤ、ＣＤに限らず、ゲーム、ＩＣチップ、教材資料、ＵＳＢメモリーなども含める。
【発明の効果】
【００１１】
本発明の収容ケースは、ＤＶＤやＣＤ等の記録媒体が入っているメーカーケースをそのまま嵌めることが出来る。従って、メーカーケースからＤＶＤやＣＤを取出して収容ケースに移し変える必要はなく、又表紙を取出して収容ケースに取付ける必要もない。メーカーケースに取付けている表紙は、透明な収容ケースを通してそのまま見ることが出来る。
【００１２】
そして、メーカーケースはその内部にＤＶＤ，ＣＤ等を入れたままで収容ケースに入れて貸し出すことが出来る為に、従来のように空になったメーカーケースの保管は必要としない。従って、相当の期間が経過して借りる人が少なくなった時には、収容ケースからメーカーケースを外して中古品として販売することが出来る。
【００１３】
一方、収容ケースに収容したメーカーケースは、本体ケースに外れないようにガタ付くことなく嵌り、又蓋の周囲に設けている縁は蓋ケースの突片が係止することで、蓋ケースを開くと同時にメーカーケースの蓋が開き、即座にＤＶＤ、ＣＤを取出すことが可能と成る。すなわち、蓋ケースを開いてからＤＶＤ，ＣＤを取出すために、再度メーカーケースの蓋を開く必要はない。
【００１４】
一方、本発明の収容ケースは本体ケースと蓋ケースとに設けた係合溝と係合片とが互いに係合することで閉鎖される構造と成っている訳で、すなわちロックプレートによって蓋ケースが開かないようにロックする構造でない。ロックプレートは蓋ケースがスライドして係合状態が解除されないように機能するもので、蓋ケースの開きを阻止する為の強度は必要としない。
【実施例】
【００１５】
図１は本発明に係るＤＶＤなどの貸出しケースを示す実施例であり、同図の１は本体ケース、２は蓋ケース、３はロックプレートを夫々表している。ところで、ＤＶＤを入れたメーカーケースは上記本体ケース１に収容され、そして蓋ケース２が閉じてロックプレート３を挿入することで、この蓋ケース２は開くことが出来なくなる。蓋ケース２は本体ケース１の基部に軸支されて開閉可能と成っている。
【００１６】
図２(ａ)は蓋ケース２を、(ｂ)は本体ケース１を夫々独立して表している。本体ケース１は同図に示すように収容空間４を有し、収容空間４を囲むように、前壁５、側壁６ａ，６ｂ、後壁７を四角形の底面８の縁に設けている。そこで、メーカーケースは上記収容空間４に嵌り、Ｌ形断面を成している後壁７に係合と共に、後述する突片が係止することで外れ難くなる。収容空間４に嵌ったメーカーケースを取外す場合には、前壁側にて底面８の一部を切欠いた切欠き部９から押上げることが出来る。
【００１７】
ここで、左側側壁６ａにはＬ形係合片１０，１０・・が突出して設けられ、同じく右側側壁６ｂにもＬ形係合片(図示なし)を突出して設けている。そして、右側側壁６ｂの外側面には係合溝１１，１１・・を形成し、さらに該側壁６ｂの底面側からＬ形断面をしたガイド１２を沿設している。又、側壁６ａの基部には長軸穴１３を設け、側壁６ｂの基部には２個の軸穴１４ａ，１４ｂを設けている。
【００１８】
一方、蓋ケース２は、四角形の表面板１５の両側には側壁１６ａ，１６ｂを起立し、側壁１６ａ，１６ｂの基部には軸ピン１７ａ，１７ｂを突出している。そして、側壁１６ａ，１６ｂの外側面には係合溝１８，１８・・を形成している。さらに、右側壁１６ｂの外側にはガイド１９を有し、ガイド１９の上側(本体ケースに取付けた場合には下側)は開口２０と成っている。この開口２０に蓋ケース２を閉じた場合に本体ケース１のガイド１２が嵌るようになる。
【００１９】
図３はロックプレート３を示す具体例である。ロックプレート３は同図に示すように、挿入部２１と頭部２２を有し、該頭部２２は挿入部２１の一端に形成している。そして、挿入部２１にはアーム２３ａ，２３ｂとアーム２４が取付けられ、アーム２３ａ，２３ｂは軸２５ａ，２５ｂに軸支されて揺動可能と成っている。同じく、アーム２４は軸２６に軸支されている。
【００２０】
そして、挿入部２１には板バネ２７ａ，２７ｂを有し、該板バネ２７ａはアーム２３ａの基端に係止し、板バネ２７ｂはアーム２３ｂの基端に係止している。従ってアーム２３ａ，２３ｂの先端に形成しているツメ２８ａ，２８ｂは降下してガイド面２９から突出している。
【００２１】
ところで、蓋ケース２を閉じて、このロックプレート３をガイド１２、１９に挿入するならば、上記ツメ２８ａ，２８ｂは本体ケース１の側壁６ｂに形成した係合溝１１，１１に係合し、抜けないようになる。ここで、同図のロックプレート３には２本のアーム２３ａ，２３ｂを対を成して取付けているが、１本のアームであってもよい。又、ロックプレート３の構造は自由であり、蓋ケースのスライドが阻止出来るように機能すればよい訳で、同図に示す場合に限定しない。
【００２２】
図４(ａ)は本体ケース１に蓋ケース２を取付け、該蓋ケース２が開いている状態を表している。(ｂ)は蓋ケース２が閉じている場合である。蓋ケース２の両側壁１６ａ，１６ｂの基部に設けた軸ピン１７ａ，１７ｂが長軸穴１３と軸穴１４に嵌って軸支され、開閉することが出来る。そして、蓋ケース２が閉じる場合、該蓋ケース２の側壁１６ａ，１６ｂに形成している係合溝１８，１８・・に、本体ケース１の側壁６ａ，６ｂの内側面に突出して設けている係合片１０，１０・・が係合する。
【００２３】
すなわち、上記係合片１０はＬ形をしていて、係合溝１８の下縁開口(入口)から嵌り、その後、蓋ケース２を先端方向へスライドさせるならば、溝先端３０に嵌合する。係合溝１８もＬ形を成し、このＬ形係合溝１８にＬ形係合片１０が嵌合することになり、その結果、蓋ケース２を開くことが出来なくなる。
【００２４】
図４(ａ)に示すように、蓋ケース２が開いている状態では、蓋ケース２の一方の軸ピン１７ａは本体ケース１の長軸穴１３の後壁側に位置し、他方の軸ピン１７ｂは軸穴１４ｂに嵌っている。そして、蓋ケース２が閉じてスライドした場合は、軸ピン１７ａの位置は長軸穴１３の反対側に位置し、軸ピン１７ｂは軸穴１４ａに移動して移る。従って、貸し出す場合には蓋ケース２は開くことが出来る状態と成っている。
【００２５】
図５(ａ)は本体ケース１にメーカーケース３１を収容している場合の断面図を示している。ここで、メーカーケース３１の底板３２の縁３３は本体ケース１の前壁５の内側面に形成した突片３４に係止し、後方部はＬ形を成して立ち上がっている後壁７に拘束されている。従って、本体ケース１の収容空間４に嵌ったメーカーケース３１は容易に外れることはない。
【００２６】
同じく、蓋ケース２の側壁１６ａ，１６ｂの内側面にも突片を設け、この突片はメーカーケース３１の蓋に形成している縁に係止している。図５(ｂ)は蓋ケース２を開いた状態であるが、蓋ケース２を開くならば、該蓋ケース２と共に販売ケース３１の蓋３５が同時に開くことになる。すなわち、蓋ケース２の突片に蓋３５の縁が係止している為である。勿論、販売ケース３１の底板３２は図５(ａ)に示すように、その縁３３は突片３４に係止している為に、底板３２は本体ケース１から外れることはない。
【００２７】
図６(ａ)は蓋ケース２が閉じている場合の斜視図であり、(ｂ)は蓋ケース２を開く為に左方向へスライドした場合であり、その為に係合溝１８の溝先端３０から係合片１０が外れる。そして、(ｃ)に示すように蓋ケース２を開くことが出来る。勿論、蓋ケース２が左方向(後壁側)へスライドするにはロックプレート３は取外されている。蓋ケース２の側壁１６ｂの基部は撓み変形し、該基部に設けている軸ピン１７ｂは本体ケース１の側壁６ｂに形成した２個の軸穴１４ａ，１４ｂを移動することが出来る。本発明の収容ケースをＤＶＤ等の貸出し用ケースとして用いる場合、貸出す際には軸ピン１７ｂが軸穴１４ｂへ移動して蓋ケース２を開くことが出来る状態としている。
【００２８】
図７(ａ)は蓋ケース２が閉じ、該蓋ケース２が先端方向(前壁側)へスライドしている場合の斜視図を示している。(ｂ)はその時の係合片１０と係合溝１８の関係を表している。このように、係合片１０が係合溝１８に係合すると共に、先端溝３０に嵌ることで、蓋ケース２を開くことは出来ない。この場合、蓋ケース２の側壁１６ｂの軸ピン１７ｂは軸穴１４ａに嵌っている。蓋ケース２を開く為には、左方向(後壁側)へスライドして先端溝３０から係合片１０を外すことが必要である。
【００２９】
図８(ａ)はロックプレート３を挿入する場合であり、前記図７のように蓋ケース２を右方向(前壁側)へスライドした状態で挿入され、又はロックプレート３の挿入と同時に頭部２２に押されて右方向へスライドすることが出来る。ロックプレート３の挿入は本体ケース１の側壁６ｂに沿って設けたガイド１２と蓋ケース２の側壁１６ｂに沿って設けたガイド１９が組み合わされて形成したロックプレート穴に挿入される。
【００３０】
図８(ｂ)はロックプレート３が挿入されてロックされた状態の詳細図である。ロックプレート３のアーム２３ａ，２３ｂのツメ２８ａ，２８ｂが本体ケース１の側壁６ｂの外側面に形成した係合溝１１，１１に係合する。ロックプレート３には板バネ２７ａ，２７ｂを設けていて、ロックプレート３を挿入することで該板バネ２７ａ，２７ｂによってツメ２８ａ，２８ｂが係合溝１１，１１に係合することが出来る。ツメ２８ａ，２８ｂが係合溝１１，１１に一旦係合するならば、該ロックプレート３を引き抜くことは出来ない。
【００３１】
ロックプレート３は頭部２２を有しており、この頭部２２が蓋ケース２の側壁１６ｂに当接し、該蓋ケース２の左方向(後壁側)へのスライドを阻止する。その為に、蓋ケース２を開くことは出来ない。そこで、蓋ケース２を開く為にはロックプレート３を外さなくてはならないが、２つの磁石をロックプレート３に近づけることで、アーム２３ａ，２３ｂが揺動してツメ２８ａ，２８ｂは係合状態が解除されてロックプレート３を引き抜くことが出来る。
【００３２】
そこで、ロックプレート３の頭部２２には係止片３６を外方向へ突出しており、磁石を取付けた解除具はこの係止片３６に係止してロックプレート３が抜き取られる。ここで、ロックプレート３を引き抜く為には２個の磁石を備えた解除具が必要であり、１個の磁石では２本のアーム２３ａ，２３ｂを揺動してツメ２８ａ，２８ｂを外すことは出来ない。
【００３３】
ところで、蓋ケース２の側壁１６ｂに設けている軸ピン１７ｂは一方側が傾斜した形状と成っている。すなわち、後壁側を傾斜している為に、図６のように蓋ケース２を押圧することで左方向(後壁側)へスライドし易くしている。しかし、逆に右方向へのスライドは阻止され、右方向へのスライドは側壁１６ｂを撓み変形して軸ピン１７ｂを軸穴１４ｂから一旦抜くことが必要となる。
【００３４】
その為に、ロックプレート３の頭部２２に嵌入板３７を設けて側壁１６ｂを撓み変形させたところで右方向へのスライドを行い、蓋ケース２が閉鎖することが出来る。すなわち、該ロックプレート３を挿入すると同時に嵌入板３７は側壁６ｂと側壁１６ｂの間に嵌入して軸ピン１７ｂは軸穴１４ｂから外れて蓋ケース２は右方向へスライドしてロックされる。
【００３５】
ところで、実施例では蓋ケース２が右側（前壁側）へスライドすることで閉鎖し、左側（後壁側）へスライドすることで開くことが出来る場合を説明した。しかし、この逆で右側へスライドすることで開くことが出来、左側へスライドすることで閉鎖するようにする場合もある。従って、この場合には上記側壁１６ｂに設けた軸ピン１７ｂの先端面の傾斜方向も逆に成る。
【図面の簡単な説明】
【００３６】
【図１】本発明に係るＤＶＤ等の収容ケース。
【図２】(ａ)は蓋ケース、(ｂ)本体ケース。
【図３】ロックプレート。
【図４】(ａ)は本体ケースに蓋ケースを取付けて開いた状態、(ｂ)は蓋ケースが閉じている状態。
【図５】(ａ)はメーカーケースが本体ケースに収容した断面図、(ｂ)は蓋ケースと共に販売ケースの蓋が開いている場合。
【図６】(ａ)は蓋ケースが閉じて左方向へスライドしている場合の斜視図、(ｂ)は蓋ケースが左方向へスライドした場合、(ｃ)は蓋ケースが僅かに開口した場合。
【図７】(ａ)は蓋ケースが閉じて右方向へスライドしている場合の斜視図、(ｂ)は蓋ケースが右方向へスライドした場合。
【図８】(ａ)は閉じてケースにロックプレートを挿入する場合、(ｂ)はロックプレートが嵌ってロックされている場合の詳細図。
【図９】従来のケース。
【符号の説明】
【００３７】
１  本体ケース
２  蓋ケース
３  ロックプレート
４  収容空間
５  前壁
６  側壁
７  後壁
８  底面
９  切欠き部
10  係合片
11  係合溝
12  ガイド
13  長軸穴
14  軸穴
15  表面板
16  側壁
17  軸ピン
18  係合溝
19  ガイド
20  開口
21  挿入部
22  頭部
23  アーム
24  アーム
25  軸
26  軸
27  板バネ
28  ツメ
29  ガイド面
30  溝先端
31  メーカーケース
32  底板
33  縁
34  突片
35  メーカーケースの蓋
36  係止片
37  嵌入板
【図１】
0004925069.tif 000002
【図２】
0004925069.tif 000003
【図３】
0004925069.tif 000004
【図４】
0004925069.tif 000005
【図５】
0004925069.tif 000006
【図６】
0004925069.tif 000007
【図７】
0004925069.tif 000008
【図８】
0004925069.tif 000009
【図９】
0004925069.tif 000010